(57)【要約】  衛星受信システムにおけるアンテナ構成を選択する方法であって、「ＦＳＫ」(frequency shift keying)の周波数が実施される第一作動モード、またはＤＣレベルが実施される第二作動モードを使用して、アンテナ構成を選択すること、および第二モードが使用中である間キャパシタを適応的に制御して信号を調節し、第一モードが使用中である間キャパシタの機能を除去することを備える。
2009509457.tif 000002
【特許請求の範囲】
【請求項１】
受信器（３７）が、通信路（２４）によって運ばれる通信信号を介して、第一通信モードでの通信に適用されるか、または第二通信モードでの通信に適用されるかを決定すること、
前記受信器（３７）が、前記第一通信モードでの通信に適用される場合、前記通信信号に第一通信プロトコルを使用し、フィルタエレメント（１８）を前記通信路から切り離すこと、および、
前記受信器（３７）が、前記第二通信モードでの通信に適用される場合、前記通信信号に第二通信プロトコルを使用し、前記フィルタエレメント（１８）を前記通信路に結合すること
を備えることを特徴とする方法。
【請求項２】
前記フィルタエレメント（１８）は、キャパシタを備えることを特徴とする請求項１に記載の方法。
【請求項３】
トランジスタ（７０）にバイアスをかけて、前記フィルタエレメント（１８）を前記第一通信モードにおける前記通信路（２４）から切り離すこと、
前記トランジスタ（７０）にバイアスをかけて、前記フィルタエレメント（１８）を前記第二通信モードにおける前記通信路（２４）に結合することであって、前記バイアスは、前記通信信号によって行われること
を備えることを特徴とする請求項１に記載の方法。
【請求項４】
前記トランジスタ（７０）が順方向バイアスの時、前記フィルタエレメント（１８）を前記通信路に結合することを備えることを特徴とする請求項３に記載の方法。
【請求項５】
前記トランジスタ（７０）が順方向バイアスでない時、前記フィルタエレメント（１８）を前記通信路（２４）から切り離すことを備えることを特徴とする請求項３に記載の方法。
【請求項６】
前記第一通信プロトコルは、２．３ＭＨｚ＋／−４０ｋＨｚの周波数成分を備えることを特徴とする請求項１に記載の方法。
【請求項７】
前記第二通信プロトコルは、ＤＣレベルを備えることを特徴とする請求項１に記載の方法。
【請求項８】
スイッチ（６０）が、第一通信プロトコルを使用する第一通信モードで通信しているか、または第二通信プロトコルを使用する第二通信モードで通信しているかを識別するために適合された装置（３８）と、
通信信号を、前記装置（３８）と前記スイッチ（６０）との間を運ぶために適合された通信路（２４）と、
前記スイッチ（６０）が第一通信モードで動作している場合、前記通信路（２４）に結合され、前記スイッチ（６０）が第二通信モードで動作している場合、前記通信路（２４）から切り離されるように適合されたフィルタエレメント（１８）と
を備えることを特徴とするシステム。
【請求項９】
前記フィルタエレメント（１８）は、キャパシタを備えることを特徴とする請求項８に記載のシステム。
【請求項１０】
前記フィルタエレメント（１８）を前記通信路（２４）に結合させ、前記フィルタエレメント（１８）を前記通信路（２４）から切り離すために適用されるトランジスタ（７０）を備えることを特徴とする請求項８に記載のシステム。
【請求項１１】
前記フィルタエレメント（１８）は、前記トランジスタ（７０）が順方向バイアスの時、前記通信路に結合され、前記トランジスタ（７０）が順方向バイアスでない時、前記通信路から切り離され、前記バイアスは、前記通信信号によって行われることを特徴とする請求項１０に記載のシステム。
【請求項１２】
前記トランジスタ（７０）は、前記スイッチ（６０）が前記第二通信モードで通信している時、順方向バイアスであり、前記スイッチ（６０）が第一通信モードで通信している時、順方向バイアスでないことを特徴とする請求項１１に記載のシステム。
【請求項１３】
前記通信信号は、前記第一通信モードにおいて、２．３ＭＨｚ＋／−４０ｋＨｚの周波数成分を使用することを特徴とする請求項８に記載のシステム。
【請求項１４】
前記通信信号は、前記第二通信モードにおいて、ＤＣレベルを使用することを特徴とする請求項８に記載のシステム。
【請求項１５】
受信器（３７）が、通信路（２４）によって運ばれる通信信号を使用して、第一通信モードでの通信に適用されるか、または第二通信モードでの通信に適用されるかを決定する手段と、
前記受信器（３７）が、前記第一通信モードでの通信に適用される場合、前記通信信号に第一通信プロトコルを使用し、フィルタエレメント（１８）を前記通信路から切り離す手段と、
前記受信器（３７）が、前記第二通信モードでの通信に適用される場合、前記フィルタエレメント（１８）を前記通信路に結合し、前記通信信号に第二通信プロトコルを使用する手段と
を備えたことを特徴とするシステム。
【請求項１６】
前記フィルターエレメント（１８）は、キャパシタを備えることを特徴とする請求項１５に記載のシステム。
【請求項１７】
前記フィルターエレメント（１８）は、前記第一通信モードにおいて前記通信路（２４）から切り離され、前記第二通信モードにおいて前記通信路（２４）に結合されることを特徴とする請求項１５に記載のシステム。
【請求項１８】
トランジスタ（７０）は、前記システムが、前記第一通信モードでの通信に適用される時、逆方向バイアスになり、および、前記第二通信モードでの通信に適用される時、順方向バイアスになり、前記バイアスは、前記通信信号によって行われることを特徴とする請求項１７に記載のシステム。
【請求項１９】
前記通信信号は、前記第一通信モードにおいて、２．３ＭＨｚ＋／−４０ｋＨｚの周波数成分を備えることを特徴とする請求項１５に記載のシステム。
【請求項２０】
前記通信信号は、前記第二通信モードにおいてＤＣレベル備えることを特徴とする請求項１５に記載のシステム。
【発明の詳細な説明】
【技術分野】
【０００１】
本発明は、一般的には、衛星システムの「ＩＲＤ」(integrated receiving/decoding circuits)に関する。より詳細には、本発明は、「ＬＮＢ」（low noise block）電力供給出力に対する適応インピーダンスを提供する方法および装置に関する。
【背景技術】
【０００２】
本章では、従来技術の多様な態様を読者に紹介する。これら技術を、以下に説明されるおよび／または請求される本発明の多様な様態に関連付けることができる。本考察は、本発明の多様な態様を容易に理解するための背景情報を、読者に提供するのに役立つと思われる。従ってこれらの記述は、この観点から読まれるのであって、先行技術を承認させるものではないことを理解されたい。
【０００３】
ディレクＴＶなどの衛星テレビシステムは、過去数年にわたりより一層広まっている。実際、１９９４年のディレクＴＶの導入以来、１２００万以上のアメリカ家庭が衛星テレビの加入者となった。これらの加入者の多くは、衛星放送受信アンテナの取り付けと接続が比較的容易にできる一世帯住宅に住んでいる。例えば、衛星放送受信アンテナは、住宅の屋根に取り付けることができる。
【０００４】
しかし、加入者と見込まれる多くは、ホテルあるいは高層住宅などの「ＭＤＵ」（multi-dwelling units）に暮らすかまたは一時的に住んでいる。残念なことに、衛星テレビサービスをＭＤＵ内の個別住宅に提供することに伴い、さらに問題が生じる。住宅ごとに一台の衛星放送受信アンテナを提供し、接続することは、実行不可能および／またはかなり費用がかかる場合がある。例えば、１０００戸を有する高層住宅では、１０００台の衛星放送受信アンテナをその建物の屋根に載せることは実行不可能である。従来のシステムの中には、デジタルの衛星テレビ信号をアナログ信号に変換して、一本の同軸ケーブルを経由して、複数の住宅に伝送することによって、これらの問題を回避するものもある。しかしこれらのシステムは、チャンネルが制限され、全デジタルシステムと比較して品質が低下しており、一世帯住宅に住むユーザが慣れている衛星ＴＶ体験を提供することができない。
【０００５】
代替案として、選択された信号を適正なセット・トップ・ボックスに経路指定するスイッチに接続された衛星のバンクを提供する。セット・トップ・ボックス（またはＩＲＤ）とスイッチとの間の双方向通信は、異なったアンテナ構成を選択する。現在、異なったアンテナ構成を選択する方法を用いる衛星受信／復号システムが２つある。ＤＣレベルと２２ｋＨｚトーンの通信を網羅する標準は、ユーテルサットのディーセックバス（Eutelsat DiSEqC Bus）機能仕様書バージョン４．２の中で説明される。その標準は、一般にディーセックと呼ばれ、ＤＣレベルの単純な情報、または２２ｋＨｚトーンまたは２２ｋＨｚトーンのＰＷＭ変調を使用した詳細なデジタル情報の双方向の伝送が可能である。ＦＴＭ（frequency translation module）を使用する方法は、２．３ＭＨｚ、ＦＳＫ（frequency shift key）変調方式を使用して構成選択を伝達する。
【発明の開示】
【発明が解決しようとする課題】
【０００６】
ディーセックを使用するＬＮＢ電力供給は、出力に関連したかなりの接地容量を必要とする。この容量は、ＦＴＭ衛星アンテナのスイッチング装置との通信で使用される２．３ＭＨｚトーンを歪曲させる傾向がある。所与のＩＲＤがいずれの手法も支援できるようにこの問題を克服するシステムと方法が望ましい。
【課題を解決するための手段】
【０００７】
開示された発明の実施形態の範囲に応じた特定の態様は、以下に説明される。これらの態様は、単に読者に本発明がとりうる特定の形式の概要を提供するために提示されるものであり、発明の範囲を制限しようとするものではないことを理解されたい。実際、本発明は以下に説明することができない多様な態様を網羅することができる。
【０００８】
開示された実施形態は、衛星信号の選択に複数のモジュールを使用するシステムと方法に関する。特に、衛星受信システムにおけるアンテナ構成を選択する方法が開示され、通信路によって運ばれる通信信号を使用して、受信器を第一モードでの通信に適用させるか、または第二通信モードでの通信に適用させるかを決定すること、受信器を第一通信モードでの通信に適用させる場合、通信信号に第一通信プロトコルを使用して、フィルタエレメントを通信路から切り離すこと、受信器を第二通信モードでの通信に適用させる場合、通信信号に第二通信プロトコルを使用して、フィルタエレメントを通信路に結合することを備える。他の方法の実施形態は、トランジスタにバイアスをかけてフィルタエレメントを第一通信モードでの通信路から切り離すこと、およびトランジスタにバイアスをかけてフィルタエレメントを第二通信モードでの通信路に結合することであって、バイアスは通信信号によって行うことができることを備える。開示されるシステムの実施形態は、スイッチが、第一通信プロトコルを使用する第一通信モードで通信しているか、第二通信プロトコルを使用する第二通信モードで通信しているかを識別するために適合された装置、装置とスイッチとの間を、通信信号を運ぶように適合された通信路、およびスイッチが第一通信モードで作動している場合、通信路に結合され、第二通信モードで作動している場合、通信路から切り離されるように適合されたフィルタエレメントを備える。
【発明を実施するための最良の形態】
【０００９】
本発明の効果は、以下の詳細な説明および図の参照によって明らかにできる。
【００１０】
本発明の１または２以上の特定の実施形態を以下に説明する。これらの実施形態の簡潔な説明を与えるために、すべての実施例の機能が明細書に説明されているわけではない。当然のことながら、工学または設計プロジェクトにあるような実装の開発において、実施例によって互いに異なるシステム、ビジネス関連の制約の順守などの開発者の特別な目標を達成するために、多数の実施例に特有の決定をしなければいけない。さらに、当然のことながらそのような開発努力は、複雑で多大な時間を必要としうるが、それでもこの開示の利点を有する当業者の設計製作および製造の所定の事業になる。
【００１１】
最初に図１に、模範的なＬＮＢ電力供給が示され、全体が参照数字１０によって指定される。ＬＮＢ電力供給１０は、ＬＮＢ電力供給１２、図１においてディーセック変換器と標示された電圧変換回路１４に進むディーセックの電流パルス、ディーセックＴｘ／Ｒｘ回路１６、およびディーセック検出器２２を備えることができる。ＬＮＢ電力供給１０は、出力電圧レベルを使用し、６００ｍＶｐ−ｐ、２２ｋＨｚトーンを重畳して多様な衛星構成を選択することができる。２段出力電圧（１３ボルトまたは１８ボルト）を典型的に使用して、各信号が複数のプログラムチャンネルを備えた、複数の着信衛星信号を選択する。トーン通信は、２２ｋＨｚの連続音またはディーセック標準に記載の２２ｋＨｚの「ＰＷＭ」（pulse width modulation）かのどちらかによって行われる。出力電圧と２２ｋＨｚトーンは、ＬＮＢ電力供給１２によって生成される。
【００１２】
電圧変換回路１４に対するディーセックの電流パルスは、電気的に並列配置である２２０ｎＦキャパシタ、１５Ω抵抗器および２２０ｍＨインダクタ等のＲＬＣフィルタ要素（図示しない）を備えることができる。これらの要素を使用して２２ｋＨｚパルス５０ｍＡ電流を電圧波形に変換する。ディーセックＴｘ／Ｒｘ回路１６によってＬＮＢ電力供給１０はさらに、ディーセック標準に適合することができる。２２ｋＨｚトーンの伝送時に、ディーセック変換器１４は、ディーセックＴｘ／Ｒｘスイッチ回路１６でバイパスされ、そのトーンは、ＬＮＢ電力供給１２から出力電圧に重畳される。
【００１３】
ディーセック検出器２２は、ディーセックＬＮＢスイッチ２６によってＬＮＢのＤＣレベルに重畳された電圧波形を検出し、復調する。ディーセック検出器２２によって検出された着信波形は、最初にディーセックの変換器１４の中の２２０ｎＦキャパシタと２２０ｎＦキャパシタ１８によって整形される。２２０ｎＦキャパシタ１８は、電力供給１２からの高周波数スイッチングノイズを減少させる。ＬＮＢ電力供給１２の容量を減少させる２つのキャパシタ間の容量の分離は、モードの伝送時に克服しなければいけない。しかし、以下に詳細に述べるように、２２０ｎＦキャパシタ１８によって提供される接地容量を、ＦＴＭモードの利用時に、かなり減少させるべきである。
【００１４】
模範的な実施形態では、ＬＮＢ電力供給１０は、７５Ωの伝送回線２４を経由してディーセックＬＮＢスイッチ２６に接続される。伝送回線２４は、典型的には同軸ケーブルである。ディーセックＬＮＢスイッチ２６は、スイッチング電流源２８と電流源３０により構成される静的な装置電流を備える。スイッチング電流源２８と電流源３０とにより、ディーセックＬＮＢスイッチ２６は、ＬＮＢ電力供給１２のＤＣレベルの電流に、５０ミリアンペアの電流とパルスを重畳する。５０ミリアンペアのパルス電流は、ディーセック変喚器１４によって半正弦波電圧に変換される。従って、スイッチング電流源２８と電流源３０とにより、ディーセックＬＮＢスイッチ２６は、ＬＮＢ電力供給１０と通信できる。
【００１５】
ディーセックＬＮＢスイッチ２６は、また、ＲＦ経路スイッチ３４と分極セレクタ３５を備える。ＲＦ経路スイッチ３４は、ＬＮＢ電力供給１０からの通信を受信し、アンテナバンク３６によって提供される複数の衛星信号の中から１つの信号を選択することができる。ＲＦ経路スイッチ３４は、選択された衛星信号を適正なセット・トップ・ボックスへ経路指定する。分極セレクタ３５は、ＬＮＢ１０によって供給される１３または１８ボルトのＤＣレベルを受信し、ＲＦ経路スイッチ３４と恊働して、アンテナバンク３６のアンテナが、望ましい分極衛星信号を選択するように導く。アンテナバンク３６は、一台の衛星放送受信アンテナまたは複数の衛星放送受信アンテナを備えることができ、各々のアンテナは、複数の衛星からの信号を受信することができる。前述のとおり、ＬＮＢ電力供給は、出力電圧レベルと切り替え可能に重畳された２２ｋＨｚトーンを使用して、多様な衛星構成の中から選択する。特にトーンの有無により、ＲＦ経路スイッチ３４に特定の衛星の選択を示すことができる。あるいは、２２ｋＨｚトーンを、ディーセック標準に従ってパルス幅変調して、アンテナバンク３６から利用できる多様な衛星構成の中から選択することができる。
【００１６】
次に図２に、模範的な衛星放送受信機システムが、本発明の一実施形態に従って示され、全体が参照数字３７によって指定される。衛星放送受信機システム３７に、ＬＮＢモードとＦＴＭモードの両方で作動が可能な模範的なセット・トップ・ボックス３８を図示する。セット・トップ・ボックス３８は、チューナ５０、ＦＴＭ４０、および上述のＬＮＢ電力供給１０を備える。チューナ５０は、ＱＰＳＫチューナ５２と５００ＭＨｚの高域フィルタ５４を備えることができる。周波数変換モジュール４０は、ＦＴＭのＴｘ／Ｒｘ回路４２と２．３ＭＨｚの低域フィルタ４４を備える。図２に示される実施形態では、セット・トップ・ボックス３８のＬＮＢ電力供給１０は、ＦＴＭ４０の使用に対応するために適応容量を含むように改良されている。セット・トップ・ボックス３８は、７５Ωの通信回線２４を経由してＦＴＭスイッチ６０と通信するように構成される。ＦＴＭスイッチ６０は、システムに、ＲＦを選択し、ＲＦを特定のアンテナ受信機から適正なセット・トップ・ボックスへ経路指定する方法を提供する。ＦＴＭスイッチ６０は、ＲＦ経路スイッチ３４と分極セレクタ３５に加えてＦＴＭのＴｘ／Ｒｘ回路６２を備える。ＦＴＭのＴｘ／Ｒｘ回路６２により、ＦＴＭスイッチ６０は、セット・トップ・ボックス３８などのＦＴＭが可能なセット・トップ・ボックスで作動できる。ＲＦ経路スイッチ３４と分極セレクタ３５により、セット・トップ・ボックス３８は、上述したようにアンテナバンク３６の中から信号を選択できる。さらに、信号を、適正なセット・トップ・ボックス・トランスポンダへ経路指定するためにスイッチと周波数変換回路を備える。
【００１７】
ＬＮＢ電力供給１０とＦＴＭ４０は、多様な衛星形態を選択する二つの異なる方法を表す。セット・トップ・ボックス３８は、ＬＮＢ電力供給１０を使用した従来のＬＮＢ電力供給モードとＦＴＭ４０のＦＴＭ２．３ＭＨｚモードの両方で作動できる。セット・トップ・ボックス３８は、特定の時間にどちらか一方のモードでしか作動できないことを認識することが重要である。ＬＮＢモードとＦＴＭモードの両方を同時に作動させる必要はない。従って、例えばＦＴＭモジュール４０が使用されている場合、ＬＮＢモジュール１０の出力を低下させることができる。
【００１８】
作動レベル上、ＦＴＭ４０とＬＮＢ電力供給１０との間では基本的な相違がある。特に、ＬＮＢ電力供給１０は、スイッチングノイズを減少させ、２２ｋＨｚトーンに調節するための接地容量を含むことが望ましい。キャパシタのリアクタンスは、周波数依存であり、ＦＴＭモードでの作動など、高周波数で作動する時、回路に与える影響がかなり大きい。従って、ＬＮＢ電力供給１０を使用する時に容量が必要である一方、ＦＴＭモジュール４０を使用するために容量をかなり減少させる必要がある。
【００１９】
図２に示された模範的な実施形態では、ＦＴＭモジュール４０は、変調された２．３ＭＨｚ信号を使用して、セット・トップ・ボックス３８とＦＴＭスイッチ６０との間の通信を容易にする。ＦＴＭプロトコルは、「ＦＳＫ」(Frequency Shift Keying)変調を使用し、ＵＡＲＴの制御下にある。ＦＴＭプロトコルは、７５Ωの環境において、２．３ＭＨｚ＋／−４０ｋＨｚで作動する。セット・トップ・ボックス３８は、リモートＦＴＭスイッチ６０と通信し、適正な衛星信号を選択して、求められるセット・トップ・ボックス３８に衛星信号を送る。先に説明したように、ＦＴＭプロトコルの高い作動周波数は、容量負荷の機能を倍加させ、ＦＴＭプロトコルを実施する能力を妨げる。
【００２０】
セット・トップ・ボックス３８で示されるように、ＬＮＢ電力供給１０の接地容量１８は、ＦＴＭモジュール４０が使用中である時、高インピーダンスとして適応的に構成される。ＬＮＢ電力供給１２が、伝送回線２４に電圧を供給している間、キャパシタは、回路内に含まれる。このことは、ＭＯＳＦＥＴ７０を介してアース端子に結合されたキャパシタを有することによって行われる。ＬＮＢ電力供給１２によって供給されるＤＣ電圧は、ＭＯＳＦＥＴ７０に順方向バイアスをかけるため、キャパシタ１８を回路内に接続することにより、電力供給１２からのノイズを排除させ、存在するトーンを調節できる。しかし、ＬＮＢ電力供給１２が停止される場合、ＭＯＳＦＥＴ７０は、逆方向バイアスをかけられ、ＭＯＳＦＥＴが高インピーダンス状態に切り替わると、キャパシタ１８の機能は大幅に低下するまたは伝送回線２４から排除される。上述のように、ＬＮＢ電力供給１２は、ＦＴＭモジュール４０が使用中である時、出力が低下する。
【００２１】
このＬＮＢ電力供給１０の接地容量１８の改良は、自動的にセット・トップ・ボックスが、ＦＴＭモードとＬＮＢモードの両方で作動できる適応性を効果的に提供する。さらにそれは簡素に保たれる。容量の除去に必要な付加的な制御はない。ＦＴＭモジュール４０が選択され、作動中である時、ＬＮＢモジュール１０は、出力が低下し、キャパシタの機能は、大幅に減少されるまたは除去される。
【００２２】
伝送回線２４上の他の容量発生源は、サージ保護ダイオード９０、９６を含むことができる。これらのダイオードを使用して、落雷からのエネルギーを吸収する。雷サージの性質により、伝送回線２４の両端にサージ抑制ダイオードを設置するのが望ましい。これらのＴＶＳ（Transient Voltage Suppression）型ダイオードの寄生容量が重要である。これらのダイオードの機能的な接地容量は、低容量の通常のバイポーラダイオード９２および９０と、９８および９６とをそれぞれ直列につなぎ、負極のサージ現象を吸収するために反対の極性の低接地容量のバイポーラダイオード９４、１００の導入によって減少される。
【００２３】
図３において、模範的な技術を図示したフローチャートは、本発明の一実施形態に従って示される。フローチャートでは、参照数字７０によって全体が示される。技術７０を、ブロック７２において開始する。決定ブロック７４において、セット・トップ・ボックス３８（図２）が、２．３ＭＨｚのＦＴＭモードで作動しているか否かの決定がなされる。ＦＴＭモードで作動するために、スイッチとセット・トップ・ボックスの両方は、ＦＴＭに適合する必要がある。上述のように、セット・トップ・ボックスは、常に二つ以上のモードで作動する必要はない。セット・トップ・ボックスが、ＦＴＭモードで作動していない場合、そのときはディーセックモードであり、ＬＮＢ電力供給１０（図２）がオンであると推定できる。ＬＮＢ電力供給からのＤＣ電圧があることにより、ＭＯＳＦＥＴ７０（図２）に順方向バイアスをかけるので、ブロック７８において図示されるように、キャパシタ１８（図２）を回路内に接続する。
【００２４】
あるいは、セット・トップ・ボックスが、ＦＴＭモードで作動している場合、ＬＮＢ電力供給１０（図２）は、電圧を伝送回線上に供給していないし、ＭＯＳＦＥＴ７０（図２）は、逆方向バイアスされる。このため、ブロック７６において示されるように、ＭＯＳＦＥＴ７０（図２）は、高インピ―ダンス状態になり、伝送回線２４（図２）から２２０ｎＦキャパシタ１８（図２）の機能を除去する。従って、ＬＮＢ電力供給１０（図２）の出力は、２．３ＭＨｚモードの時、高インピ―ダンスのように見える。容量は、ＬＮＢ電力供給が作動中である間、回路内で適応的に制御され、ＦＴＭモジュールが作動中である間、切り離される。ブロック８０において、プロセスが終了する。
【００２５】
本発明は、多様な改良と代替的な形式を受け入れることができるが、特定の実施形態は、図と本明細書で詳細に説明された例を通じて示されている。しかし、本発明は、開示された特別な形式に制限されるものではなく、次の添付された請求の範囲によって定義されるように、むしろ発明の精神と範囲内においてすべての改良、等価、代替を対象とするものである。
【図面の簡単な説明】
【００２６】
【図１】本発明の一実施形態にかかる例示的なＬＮＢ電力供給を示す図である。
【図２】本発明の一実施形態にかかる例示的な衛星受信システムを示す図である。
【図３】本発明の一実施形態にかかる例示的な技術を示すフローチャートである。
【図１】
2009509457.tif 000003
【図２】
2009509457.tif 000004
【図３】
2009509457.tif 000005
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
受信器（３７）が、通信路（２４）によって運ばれる通信信号を介して、第一通信モードでの通信に適用される、かまたは第二通信モードでの通信に適用されるかを決定すること、
前記第一通信モードでの通信のために第一通信プロトコルを使用し、フィルタエレメント（１８）を前記通信路から切り離すこと、および、
前記第二通信モードでの通信のために第二通信プロトコルを使用し、前記フィルタエレメント（１８）を前記通信路に結合すること
を備えることを特徴とする方法。
【請求項２】
前記フィルタエレメント（１８）は、キャパシタを備えることを特徴とする請求項１に記載の方法。
【請求項３】
トランジスタ（７０）にバイアスをかけて、前記フィルタエレメント（１８）を前記第一通信モードにおける前記通信路（２４）から切り離すこと、
前記トランジスタ（７０）にバイアスをかけて、前記フィルタエレメント（１８）を前記第二通信モードにおける前記通信路（２４）に結合することであって、前記バイアスは、前記通信信号によって行われること
を備えることを特徴とする請求項１に記載の方法。
【請求項４】
前記トランジスタ（７０）が順方向バイアスの時、前記フィルタエレメント（１８）を前記通信路に結合することを備えることを特徴とする請求項３に記載の方法。
【請求項５】
前記トランジスタ（７０）が順方向バイアスでない時、前記フィルタエレメント（１８）を前記通信路（２４）から切り離すことを備えることを特徴とする請求項３に記載の方法。
【請求項６】
前記第一通信プロトコルは、２．３ＭＨｚ＋／−４０ｋＨｚの周波数成分を備えることを特徴とする請求項１に記載の方法。
【請求項７】
前記第二通信プロトコルは、ＤＣレベルを備えることを特徴とする請求項１に記載の方法。
【請求項８】
スイッチ（６０）が、第一通信プロトコルを使用する第一通信モードで通信しているか、または第二通信プロトコルを使用する第二通信モードで通信しているかを識別するために適合された装置（３８）と、
通信信号を、前記装置（３８）と前記スイッチ（６０）との間を運ぶために適合された通信路（２４）と、
前記スイッチ（６０）が第一通信モードで動作している場合、前記通信路（２４）に結合され、前記スイッチ（６０）が第二通信モードで動作している場合、前記通信路（２４）から切り離されるように適合されたフィルタエレメント（１８）と
を備えることを特徴とするシステム。
【請求項９】
前記フィルタエレメント（１８）は、キャパシタを備えることを特徴とする請求項８に記載のシステム。
【請求項１０】
前記フィルタエレメント（１８）を前記通信路（２４）に結合させ、前記フィルタエレメント（１８）を前記通信路（２４）から切り離すために適用されるトランジスタ（７０）を備えることを特徴とする請求項８に記載のシステム。
【請求項１１】
前記フィルタエレメント（１８）は、前記トランジスタ（７０）が順方向バイアスの時、前記通信路に結合され、前記トランジスタ（７０）が順方向バイアスでない時、前記通信路から切り離され、前記バイアスは、前記通信信号によって行われることを特徴とする請求項１０に記載のシステム。
【請求項１２】
前記トランジスタ（７０）は、前記スイッチ（６０）が前記第二通信モードで通信している時、順方向バイアスであり、前記スイッチ（６０）が第一通信モードで通信している時、順方向バイアスでないことを特徴とする請求項１１に記載のシステム。
【請求項１３】
前記通信信号は、前記第一通信モードにおいて、２．３ＭＨｚ＋／−４０ｋＨｚの周波数成分を使用することを特徴とする請求項８に記載のシステム。
【請求項１４】
前記通信信号は、前記第二通信モードにおいて、ＤＣレベルを使用することを特徴とする請求項８に記載のシステム。
【請求項１５】
受信器（３７）が、通信路（２４）によって運ばれる通信信号を使用して、第一通信モードでの通信に適用されるか、または第二通信モードでの通信に適用されるかを決定する手段と、
前記受信器（３７）が、前記第一通信モードでの通信に適用される場合、前記通信信号に第一通信プロトコルを使用し、フィルタエレメント（１８）を前記通信路から切り離す手段と、
前記受信器（３７）が、前記第二通信モードでの通信に適用される場合、前記フィルタエレメント（１８）を前記通信路に結合し、前記通信信号に第二通信プロトコルを使用する手段と
を備えたことを特徴とするシステム。
【請求項１６】
前記フィルターエレメント（１８）は、キャパシタを備えることを特徴とする請求項１５に記載のシステム。
【請求項１７】
前記フィルターエレメント（１８）は、前記第一通信モードにおいて前記通信路（２４）から切り離され、前記第二通信モードにおいて前記通信路（２４）に結合されることを特徴とする請求項１５に記載のシステム。
【請求項１８】
トランジスタ（７０）は、前記システムが、前記第一通信モードでの通信に適用される時、逆方向バイアスになり、および、前記第二通信モードでの通信に適用される時、順方向バイアスになり、前記バイアスは、前記通信信号によって行われることを特徴とする請求項１７に記載のシステム。
【請求項１９】
前記通信信号は、前記第一通信モードにおいて、２．３ＭＨｚ＋／−４０ｋＨｚの周波数成分を備えることを特徴とする請求項１５に記載のシステム。
【請求項２０】
前記通信信号は、前記第二通信モードにおいてＤＣレベル備えることを特徴とする請求項１５に記載のシステム。
【国際調査報告】
2009509457.tif 000006
2009509457.tif 000007
2009509457.tif 000008